(57)【要約】【課題】ユーザーが座り姿勢から起ち上がる時、ユーザーの手部を支持でき、使用しない時、スペースを取らないように収納できる湾曲可能な安全ア−ムレストを提供する。【解決手段】主として、ア−ムレスト主体と定位座から構成され、ア−ムレスト主体は、匚形状で中空の棒体からなり、当該棒体の一端に、Ｔ形状の支持棒が貫設され、当該支持棒は、末端に、円形状の回転体が固設され、中心に、ネジ杆を貫設するための軸穴が予めに設けられ、また、当該回転体は、外側に、回転体の最大回転角度を制限するためのストッパーが固設され、定位座は、一体成形の座体であり、底板の両側に、二つの半円形の挟み板を固設し、また、底板に、底板を壁に固定するための固定孔が予めに設けられ、挟み板同士の間に、弾性座金が貫設されたネジをナットで螺合して定位するための貫通穴が予めに設けられる。【選択図】図１
0003128421.tif 000002
【実用新案登録請求の範囲】
【請求項１】
主として、ア−ムレスト主体と定位座から構成される湾曲可能な安全ア−ムレストであって、
ア−ムレスト主体が、匚形状で中空の棒体からなり、当該棒体の一端に、Ｔ形状の支持棒が貫設され、当該支持棒において、末端に円形状の回転体が固設され、中心に、ネジ杆を貫設するための軸穴が予めに設けられ、また、当該回転体の外側に、回転体の最大回転角度を制限するためのストッパーが固設され、
定位座が、一体成形の座体であり、底板の両側に、二つの半円形の挟み板を固設し、また、底板に、底板を壁に固定するための固定孔が予めに設けられ、挟み板同士の間に、弾性座金が貫設されたネジをナットで螺合して定位するための貫通穴が予めに設けられる、
ことを特徴とする湾曲可能な安全ア−ムレスト。
【請求項２】
両支持棒の間に座りパッドが貫設されることを特徴とする請求項１に記載の湾曲可能な安全ア−ムレスト。
【考案の詳細な説明】
【技術分野】
【０００１】
本考案は、湾曲可能な安全ア−ムレストに関し、特に、ア−ムレスト主体と定位座から構成され、ユーザーが座り姿勢から起ち上がる時、ユーザーの手部を支持し、使用しない時、収納できるものに関する。
【背景技術】
【０００２】
従来の可動式アーム状のア−ムレストの定位座構造改良は、主として、定位座と可動式アーム状のア−ムレストからなり、定位座のＵ形状引受け棒円弧段で、可動式アーム状のア−ムレストを支持し、これにより、ユーザーが起立する時、手部を支持するが、設計によると、Ｕ形状の引受け棒の円弧段の支持強度が不足であるため、使用上の安全性が良くなく、また、定位座の二つの挟み板の設計が、複雑の外形を有するため、コストが高く付き、そのため、上記のような可動式アーム状のア−ムレストの定位座構造に、改善すべく課題がある。
【考案の開示】
【考案が解決しようとする課題】
【０００３】
本考案の目的は、ア−ムレスト主体と定位座から構成され、ユーザーが座り姿勢から起ち上がる時、ユーザーの手部を支持し、使用しない時、収納できる湾曲可能な安全ア−ムレストを提供する。
【課題を解決するための手段】
【０００４】
請求項１の考案は、主として、ア−ムレスト主体と定位座から構成される湾曲可能な安全ア−ムレストであって、    ア−ムレスト主体が、匚形状で中空の棒体からなり、当該棒体の一端に、Ｔ形状の支持棒が貫設され、当該支持棒において、末端に円形状の回転体が固設され、中心に、ネジ杆を貫設するための軸穴が予めに設けられ、また、当該回転体の外側に、回転体の最大回転角度を制限するためのストッパーが固設され、定位座が、一体成形の座体であり、底板の両側に、二つの半円形の挟み板を固設し、また、底板に、底板を壁に固定するための固定孔が予めに設けられ、挟み板同士の間に、弾性座金が貫設されたネジをナットで螺合して定位するための貫通穴が予めに設けられる、ことを特徴とする湾曲可能な安全ア−ムレストである。
【０００５】
請求項２の考案は、両支持棒の間に座りパッドが貫設されることを特徴とする請求項１に記載の湾曲可能な安全ア−ムレストである。
【考案を実施するための最良の形態】
【０００６】
本考案は、図１を参照しながら、主として、ア−ムレスト主体１と定位座２から構成され、
ア−ムレスト主体１は、匚形状で中空の棒体１１からなり、当該棒体１１の一端に、Ｔ形状の支持棒１２が貫設され、当該支持棒１２は、末端に円形状の回転体が固設１３され、中心に、ネジ杆２２２を貫設するための軸穴１３１が予めに設けられ、また、当該回転体１３は、外側に、回転体１３の最大回転角度を制限するためのストッパー１４が固設され、
定位座２は、一体成形により形成される座体、底板２１の両側に、二つの半円形の挟み板２２を固設し、また、底板２１に、底板２１を壁に固定するための固定孔２１１が予めに設けられ、挟み板２２同士の間に、弾性座金２２３が貫設されたネジ杆２２２をナット２２４で螺合して定位するための貫通穴２２１が予めに設けられる。
【０００７】
湾曲可能な安全ア−ムレストを使用する時、図１のように、支持棒１２を棒体１１の一端に貫設し、回転体１３を両挟み板２２の間に位置させ、その後、弾性座金２２３が貫設されたネジ杆２２２を、挟み板２２の貫通穴２２１と回転体１３の軸穴１３１を貫通してから、更に、もう一つの弾性座金２２３を貫設市、そして、ナット２２４でネジ杆２２２を螺合して定位し、これにより、湾曲の安全ア−ムレスト構造が構成され、図２のようになる。
【０００８】
また、湾曲可能な安全ア−ムレストを使用する時、図３のように、まず、定位座２の底板２１を壁に固定し、そして、ア−ムレスト主体１の棒体１１を引張ることにより、回転体１３が連動されて、ストッパー１４が底板２１に抵当するまで回転し、この時、支持棒１２が、水平にア−ムレスト主体１の棒体１１を支持するようになり、また、棒体１１のもう一端も、壁に抵当し、これにより、ユーザーが座り姿勢から起ち上がる時、ユーザーの手部を支持し、また、使用しない時、ア−ムレスト主体１を、壁に平行するようまで回転すれば良く、また、両支持棒１２の間に座りパッド３が貫設され、これにより、椅子が形成され、図４のようになり、ユーザーがその上に座ることができ、上記のように、本考案は、ユーザーが座り姿勢から起ち上がる時、ユーザーの手部を支持でき、使用しない時、ア−ムレスト主体１を上へ回転して壁に平行するようになり、スペースを取らず、そのため、実用的な、新規な湾曲可能な安全ア−ムレスト構造が構成される。
【０００９】
本考案に係わる湾曲可能な安全ア−ムレストは、ア−ムレスト主体１と定位座２により、湾曲可能な安全ア−ムレスト構造が改良されるため、新鋭性を有し、また、ア−ムレスト主体１と定位座２の使用効果が、確実に向上されるため、ユーザーが座り姿勢から起ち上がる時、ユーザーの手部を支持し、使用しない時、ア−ムレスト主体１を上へ回転して壁に平行するようになり、スペースを取らない利点が得られるため、実用新案登録請求の要件を満たす湾曲可能な安全ア−ムレストである。
【図面の簡単な説明】
【００１０】
【図１】本考案の立体外観図
【図２】本考案の平面図
【図３】本考案を壁に設置する時の作動概念図
【図４】本考案を使用する時の概念図
【符号の説明】
【００１１】
１      ア−ムレスト主体
１１    棒体
１２    支持棒
１３    回転体
１３１  軸穴
１４    ストッパー
２      定位座
２１    底板
２１１  固定孔
２２    挟み板
２２１  貫通穴
２２２  ネジ杆
２２３  弾性座金
２２４  ナット
３      座りパッド
【図１】
0003128421.tif 000003
【図２】
0003128421.tif 000004
【図３】
0003128421.tif 000005
【図４】
0003128421.tif 000006